(57)【要約】      （修正有）【課題】簡易な構造で防護プレートを設置することのできる免震エレベータ装置の提供。【解決手段】建物の中間部に免震装置４を設けて、建物の下層階２と上層階３を有する中間層免震建物内を乗かごが昇降する中間層免震建物対応のエレベータにあって、免震層部で拡幅される昇降路の壁と乗かごのかごドア敷居との間に防護プレート１０が配設される免震エレベータ装置において、防護プレート１０の上端を上層階３に可動可能に支持し、下端を下層階２に可動可能に支持する構成としてある。【選択図】図１
2006232444.tif 000002
【特許請求の範囲】
【請求項１】
建物の中間部に免震装置を設けて、建物の下層階と上層階を有する中間層免震建物内を乗かごが昇降する中間層免震建物対応のエレベータにあって、免震層部で拡幅される昇降路の壁と乗かごのかごドア敷居との間に防護プレートが配設される免震エレベータ装置において、
前記防護プレートの上端を前記上層階に可動可能に支持し、下端を前記下層階に可動可能に支持することを特徴とする免震エレベータ装置。
【請求項２】
前記防護プレートは、その上端および下端がピン構造により可動可能に支持されることを特徴とする請求項１記載の免震エレベータ装置。
【発明の詳細な説明】
【技術分野】
【０００１】
本発明は、中間階層に免震装置を介在させた中間層免震建物内に設置される免免震エレベータ装置に係り、特に、免震層部で拡幅される昇降路の壁と乗かごのかごドア敷居との間に防護プレートを配設した免震エレベータ装置に関する。
【背景技術】
【０００２】
かごドア敷居と昇降路の壁との間が１２５ｍｍ超ある場合は、昇降路の壁に落ち込み防止用の防護プレートを設置し、かごドア敷居と前記防護プレートとの隙間を１２５ｍｍ以下としなければならない。
【０００３】
この種の従来技術として、前記昇降路の免震部分にレール支持枠を上下方向に設けるとともに、このレール支持枠に支持フレームの一端を回転自在に支持し、かつ、前記支持フレームにその両端が回転自在に取付けられる防護プレートを設け、この防護プレートにより前記かごドア敷居と前記昇降路の壁との間の隙間を地震の有無に関わらず常に１２５ｍｍ以下とするものが提案されている（例えば、特許文献１参照）。
【特許文献１】特開平２００４−９１１９７号公報（段落番号０００６〜００１２、第１図、第２図）
【発明の開示】
【発明が解決しようとする課題】
【０００４】
しかしながら、前述したものでは、レール支持枠および支持フレーム等の枠体を構築して防護プレートを設置する必要があることから、設置に手間と時間を要するという問題があった。
【０００５】
本発明は、前述した従来技術における実状からなされたもので、その目的は、簡易な構造で防護プレートを設置することのできる免震エレベータ装置を提供することにある。
【課題を解決するための手段】
【０００６】
前記目的を達成するために、本発明は、建物の中間部に免震装置を設けて、建物の下層階と上層階を有する中間層免震建物内を乗かごが昇降する中間層免震建物対応のエレベータにあって、免震層部で拡幅される昇降路の壁と乗かごのかごドア敷居との間に防護プレートが配設される免震エレベータ装置において、前記防護プレートの上端を上層階に可動可能に支持し、下端を下層階に可動可能に支持することを特徴としている。
【０００７】
このように構成した本発明は、防護プレートの上端および下端が可動可能に支持されていることから、地震による下層階と上層階間の相対変位に対応することができるとともに、防護プレートの上端は上層階に、下端は下層階にそれぞれ直接支持されることから、従来のように特別な枠体を要することがなく、したがって、簡易な構造で防護プレートを設置することができる。
【発明の効果】
【０００８】
本発明は、防護プレートの上端は上層階に、下端は下層階にそれぞれ直接支持されることから、特別な枠体を要することなく簡易な構造で防護プレートの設置を可能とし、ひいては設置に要する労力、時間および費用の低減を図ることができる。
【発明を実施するための最良の形態】
【０００９】
以下、本発明に係る免震エレベータ装置の実施の形態を図に基づいて説明する。
【００１０】
図１は本発明の免震エレベータ装置が適用される建物の概略構成図、図２は本発明の免震エレベータ装置の一実施形態を示す正面図、図３は免震エレベータ装置の側面図、図４は免震エレベータ装置の上部ピン構造を示す要部拡大図、図５は免震エレベータ装置の下部ピン構造を示す要部拡大図、図６は横方向に免震変位が生じた時の状態を示す正面図、図７は横方向に免震変位が生じた時の上部ピン構造を示す要部拡大図、図８は横方向に免震変位が生じた時の下部ピン構造を示す要部拡大図、図９は奥行き方向に免震変位が生じた時の状態を示す側面図である。
【００１１】
本発明の免震エレベータ装置が適用される建物１には図１に示すように、下層階２と上層階３との間に備えられる免震装置４と、下層階２から上層階３に渡って延設される昇降路５、この昇降路５をかご用ガイドレール６に沿って昇降する乗かご７、昇降路５をおもり用ガイドレール８に沿って昇降するつり合いおもり９が設けられている。
【００１２】
そして、本実施形態の免震エレベータ装置にあって免震層部で拡幅される昇降路５の壁と乗かご７のかごドア敷居との間の隙間を覆う防護プレート１０は図２、図３に示すように、その上端が上層階３に可動可能に支持されるとともに、下端が下層階２に可動可能に支持されている。
【００１３】
また、防護プレート１０は、その上端の中央部および下端の中央部がピン構造により支持されている。すなわち、図４に示すように、上層階３には、この上層階３に固設された上部ピン１１、および、上部ピン１１の端部に形成され、上部ピン１１より大きな径を有する抜け防止部１２が設けられ、防護プレート１０の上端に設けられた孔１３に上部ピン１１が挿通される。また、図５に示すように、下層階２には、この下層階２に固設され防護プレート１０の下端が当接する防護プレート台座１４、この防護プレート台座１４から突出する下部ピン１５、および、下部ピン１５の端部に形成され、下部ピン１５より大きな径を有する抜け防止部１６が設けられ、防護プレート１０の下端に設けられた孔１７に下部ピン１５が挿通される。尚、孔１３、１７は、防護プレート１０の変位が円滑に行われるように、それぞれの内壁にＲ処理が施されているとともに、防護プレート台座１４の上端も、当接する防護プレート１０の変位が円滑に行われるようにＲ処理が施されている。
【００１４】
さらに、図２、図３に示すように、上層階３の上部ピン１１左右近傍には、一端が上層階３に固設されるとともに、他端がそれぞれ防護プレート１０の上方に当接して、防護プレート１０が回転することを防止する回転防止プレート１８と、下層階２の上部ピン１５左右近傍には、一端が下層階２に固設されるとともに、他端がそれぞれ防護プレート１０の下方に当接して、防護プレート１０が回転することを防止する回転防止プレート１９とが設けられている。
【００１５】
このように構成した免震エレベータ装置にあって、地震により図６に示すように上層階３と下層階２との間に横方向に免震変位Ａが生じると、上端および下端で２点支持された防護プレート１０は免震変位Ａに追従して傾く。このとき上部ピン１１と防護プレート１０との関係、および下部ピン１５と防護プレート１０との関係は図７、図８に示すものであり、防護プレート１０は上部ピン１１および下部ピン１５を軸として免震変位Ａに応じて傾くこととなる。また、地震により図９に示すように上層階３と下層階２との間に奥行き方向に免震変位Ｂが生じると、上端および下端で２点支持された防護プレート１０は免震変位Ｂに追従して傾く。免震建物にあっては、地震により下層階２と上層階３間に相対変位が生じると、かご用ガイドレール６も変位し乗かご７にも傾きが生じるが、前述したように防護プレート１０も下層階２と上層階３間の相対変位に追従して傾くことから、かごドア敷居と防護プレート１０との間の隙間を常に規定値である１２５ｍｍ以下とすることができる。
【００１６】
本実施形態によれば、防護プレート１０の上端は上層階に、下端は下層階にそれぞれ直接支持されることから、特別な枠体を要することなく簡易な構造で防護プレート１０を設置することができる。
【図面の簡単な説明】
【００１７】
【図１】本発明の免震エレベータ装置が適用される建物の概略構成図である。
【図２】本発明の免震エレベータ装置の一実施形態を示す正面図である。
【図３】免震エレベータ装置の側面図である。
【図４】免震エレベータ装置の上部ピン構造を示す要部拡大図である。
【図５】免震エレベータ装置の下部ピン構造を示す要部拡大図である。
【図６】横方向に免震変位が生じた時の状態を示す正面図である。
【図７】横方向に免震変位が生じた時の上部ピン構造を示す要部拡大図である。
【図８】横方向に免震変位が生じた時の下部ピン構造を示す要部拡大図である。
【図９】奥行き方向に免震変位が生じた時の状態を示す側面図である。
【符号の説明】
【００１８】
１    建物
２    下層階
３    上層階
４    免震装置
５    昇降路
６    かご用ガイドレール
７    乗かご
８    おもり用ガイドレール
９    つり合いおもり
１０  防護プレート
１１  上部ピン
１２  抜け防止部
１３  孔
１４  防護プレート台座
１５  下部ピン
１６  抜け防止部
１７  孔
１８  回転防止プレート
１９  回転防止プレート
【図１】
2006232444.tif 000003
【図２】
2006232444.tif 000004
【図３】
2006232444.tif 000005
【図４】
2006232444.tif 000006
【図５】
2006232444.tif 000007
【図６】
2006232444.tif 000008
【図７】
2006232444.tif 000009
【図８】
2006232444.tif 000010
【図９】
2006232444.tif 000011